(57)【特許請求の範囲】
【請求項１】
１つ以上の端末と、
前記端末が利用するクライアント環境が動作するクライアント環境サーバと、
前記端末からのクライアント環境の利用要求に基づき所定の前記クライアント環境を配分する管理サーバとを備え、
前記管理サーバは、
前記端末から、端末を識別する端末識別情報と、端末の構成要素である端末部品を識別する端末部品情報とを受信し、前記端末部品情報に対応して予め設定したクライアント環境の構成要素であるＣＰＵ、メモリを含むハードウェア要素の情報と、前記クライアント環境の構成要素であるＯＳ、アプリケーションを含むソフトウェア要素の情報とを用いて、前記クライアント環境サーバに前記情報に応じたクライアント環境を生成するクライアント環境管理手段を備えることを特徴とするシンクライアントシステム。
【請求項２】
前記端末識別情報を格納する端末管理テーブルと、
前記端末部品情報と前記クライアント環境構成要素との関連付けを格納する端末部品テーブルと、
前記端末と当該端末が利用する前記クライアント環境との関連付けを格納する接続先設定テーブルと
を含む記憶装置を備えることを特徴とする請求項１に記載のシンクライアントシステム。
【請求項３】
前記接続先設定テーブルに基づき、前記端末へ所定の前記クライアント環境を配分するセッション管理手段と、
所定の場合に、前記端末から受信した前記端末識別情報を前記端末管理テーブルに格納する端末管理手段を含み、
前記セッション管理手段は、
前記端末から受信した前記端末識別情報が、前記端末管理テーブルに存在するか否かを確認し、
前記セッション管理手段が、前記端末識別情報が前記端末管理テーブルに存在しないと判断した場合、
前記クライアント環境管理手段は、
前記端末部品情報に対応する前記クライアント環境構成要素を前記端末部品テーブルから取得し、当該クライアント環境構成要素を構成要件として前記クライアント環境サーバに前記クライアント環境を生成し、
前記セッション管理手段は、
前記端末と、生成された前記クライアント環境との関連付けを前記接続先設定テーブルに格納し、
前記端末管理手段は、
前記端末識別情報を前記端末管理テーブルに格納することを特徴とする請求項２に記載のシンクライアントシステム。
【請求項４】
前記端末管理テーブルが、
前記端末の利用可否情報を示す利用可否情報をさらに格納し、
前記セッション管理手段は、
接続してきた前記端末の利用可否情報が利用不可である場合は、当該端末に対して前記クライアント環境の配分を行わないことを特徴とする請求項３に記載のシンクライアントシステム。
【請求項５】
前記端末管理テーブルから所定の前記端末の端末識別情報が削除された場合に、
前記クライアント環境管理手段が、
当該端末が利用する前記クライアント環境を前記クライアント環境サーバから削除すると共に、当該端末及びクライアント環境の関連付けを前記接続先設定テーブルから削除することを特徴とする請求項２から請求項４の何れか１項に記載のシンクライアントシステム。
【請求項６】
１つ以上の端末と、前記端末が利用するクライアント環境が動作するクライアント環境サーバと、前記端末からのクライアント環境の利用要求に基づき所定の前記クライアント環境を配分する管理サーバとを備えるシンクライアントシステムの管理サーバであって、
前記端末から、端末を識別する端末識別情報と、端末の構成要素である端末部品を識別する端末部品情報とを受信し、前記端末部品情報に対応して予め設定したクライアント環境の構成要素であるＣＰＵ、メモリを含むハードウェア要素の情報と、前記クライアント環境の構成要素であるＯＳ、アプリケーションを含むソフトウェア要素の情報とを用いて、前記クライアント環境サーバに前記情報に応じたクライアント環境を生成するクライアント環境管理手段を備えることを特徴とする管理サーバ。
【請求項７】
１つ以上の端末と、前記端末が利用するクライアント環境が動作するクライアント環境サーバと、前記端末からのクライアント環境の利用要求に基づき所定の前記クライアント環境を配分する管理サーバとを備えるシンクライアントシステムのクライアント環境管理方法であって、
前記管理サーバが、
前記端末から、端末を識別する端末識別情報と、端末の構成要素である端末部品を識別する端末部品情報とを受信し、
前記端末部品情報に対応して予め設定したクライアント環境の構成要素であるＣＰＵ、メモリを含むハードウェア要素の情報と、前記クライアント環境の構成要素であるＯＳ、アプリケーションを含むソフトウェア要素の情報とを用いて、前記クライアント環境サーバに前記情報に応じたクライアント環境を生成することを特徴とするクライアント環境管理方法。
【請求項８】
１つ以上の端末と、前記端末が利用するクライアント環境が動作するクライアント環境サーバと、前記端末からのクライアント環境の利用要求に基づき所定の前記クライアント環境を配分する管理サーバとを備えるシンクライアントシステムの前記管理サーバに、
前記端末から、端末を識別する端末識別情報と、端末の構成要素である端末部品を識別する端末部品情報とを受信し、前記端末部品情報に対応して予め設定したクライアント環境の構成要素であるＣＰＵ、メモリを含むハードウェア要素の情報と、前記クライアント環境の構成要素であるＯＳ、アプリケーションを含むソフトウェア要素の情報とを用いて、前記クライアント環境サーバに前記情報に応じたクライアント環境を生成する処理を、実行させることを特徴とするプログラム。
【発明の詳細な説明】
【技術分野】
【０００１】
本発明は、リモ−トの端末からクライアント環境を利用するシンクライアントシステムに関し、特に、各端末の性能に応じて適切なクライアント環境を自動的に提供するシンクライアントシステム、管理サーバ、クライアント環境管理方法及びプログラムに関する。
【背景技術】
【０００２】
近年、セキュリティの観点からクライアント環境をサ−バ上に集約させたシンクライアントシステムが注目されている。シンクライアントシステムの中には、クライアント環境、利用ユ−ザ、及び利用端末を関連付けて、どのユ−ザがどの端末からどのクライアント環境を利用できるか、という情報をサ−バ側で一括設定、一括管理するセッション管理技術が存在する。
【０００３】
このようなシンクライアントシステムの一例が、例えば特許文献１に記載されている。
【０００４】
しかし、特許文献１に記載の技術では、端末ごとに接続するクライアント環境を設定しなければならず、管理者の手間が増大するという問題があった。
【０００５】
具体的には、特許文献１に記載の技術では、（１）ユ−ザが利用するためのクライアント環境を生成する、（２）端末の情報を登録する、（３）生成したクライアント環境と登録した端末情報を関連付ける、という３ステップの手順を踏む必要があり、これらの設定に時間がかかるという問題があった。
【０００６】
この問題を解決するため、特許文献２に開示されるようなコンピュ−タシステム（シンクライアントシステム）が関連技術として提案されている。
【０００７】
特許文献２に記載の関連技術では、端末が自端末の構成情報をサ−バに送信し、サ−バは該構成情報を記憶し、該構成情報に基づき動作環境を決定することで、各端末ごとにユ−ザ自らが異なる実行環境を設定する必要がなく、ユ−ザの使い勝手を大幅に向上することを可能としている。
【先行技術文献】
【特許文献】
【０００８】
【特許文献１】特開２００７−３３４６８６号公報
【特許文献２】特開２００７−１７９１０８号公報
【発明の概要】
【発明が解決しようとする課題】
【０００９】
しかし、特許文献２に記載の技術では、起動アプリを変えることで動作環境を変えているため、ＣＰＵ（Ｃｅｎｔｒａｌ  Ｐｒｏｃｅｓｓｉｎｇ  Ｕｎｉｔ）やメモリといったクライアント環境を構成する要素については設定ができないという課題があった。
【００１０】
（発明の目的）
本発明の目的は、上述した課題を解決し、各端末の性能に応じて適切なクライアント環境を提供するシンクライアントシステム、管理サーバ、クライアント環境管理方法及びプログラムを自動的に提供することである。
【課題を解決するための手段】
【００１１】
本発明の第１のシンクライアントシステムは、１つ以上の端末と、端末が利用するクライアント環境が動作するクライアント環境サーバと、端末からのクライアント環境の利用要求に基づき所定のクライアント環境を配分する管理サーバとを備え、管理サーバは、端末から、端末を識別する端末識別情報と、端末の構成要素である端末部品を識別する端末部品情報とを受信し、端末部品情報に対応して予め設定したクライアント環境の構成要素を用いて、クライアント環境サーバにクライアント環境を生成するクライアント環境管理手段を備える。
【００１２】
本発明の第１の管理サーバは、１つ以上の端末と、端末が利用するクライアント環境が動作するクライアント環境サーバと、端末からのクライアント環境の利用要求に基づき所定のクライアント環境を配分する管理サーバとを備えるシンクライアントシステムの管理サーバであって、端末から、端末を識別する端末識別情報と、端末の構成要素である端末部品を識別する端末部品情報とを受信し、端末部品情報に対応して予め設定したクライアント環境の構成要素を用いて、クライアント環境サーバにクライアント環境を生成するクライアント環境管理手段を備える。
【００１３】
本発明の第１のクライアント環境管理方法は、１つ以上の端末と、端末が利用するクライアント環境が動作するクライアント環境サーバと、端末からのクライアント環境の利用要求に基づき所定のクライアント環境を配分する管理サーバとを備えるシンクライアントシステムのクライアント環境管理方法であって、管理サーバが、端末から、端末を識別する端末識別情報と、端末の構成要素である端末部品を識別する端末部品情報とを受信し、端末部品情報に対応して予め設定したクライアント環境の構成要素を用いて、クライアント環境サーバにクライアント環境を生成する。
【００１４】
本発明の第１のプログラムは、１つ以上の端末と、端末が利用するクライアント環境が動作するクライアント環境サーバと、端末からのクライアント環境の利用要求に基づき所定のクライアント環境を配分する管理サーバとを備えるシンクライアントシステムの管理サーバに、端末から、端末を識別する端末識別情報と、端末の構成要素である端末部品を識別する端末部品情報とを受信し、端末部品情報に対応して予め設定したクライアント環境の構成要素を用いて、クライアント環境サーバにクライアント環境を生成する処理を、実行させる。
【発明の効果】
【００１５】
本発明によれば、各端末の性能に応じて適切なクライアント環境を自動的に提供できる。
【図面の簡単な説明】
【００１６】
【図１】本発明の第１の実施の形態によるシンクライアントシステムの構成を示すブロック図である。
【図２】第１の実施の形態による接続先設定テーブルの構成例を示す図である。
【図３】第１の実施の形態による端末部品テ−ブルの構成例を示す図である。
【図４】第１の実施の形態による端末管理テ−ブルの構成例を示す図である。
【図５】第１の実施の形態によるシンクライアントシステムの動作を示すフローチャートである。
【図６】本発明の第１の実施例によるシンクライアントシステムの動作を示すフロ−チャ−トである。
【図７】本発明の第２の実施の形態による端末管理テ−ブルの構成例を示す図である。
【図８】第２の実施の形態によるシンクライアントシステムの動作を示すフローチャートである。
【図９】本発明の第３の実施の形態による端末管理テ−ブルの構成例を示す図である。
【図１０】第３の実施の形態による端末部品テ−ブルの構成例を示す図である。
【図１１】第３の実施の形態による端末管理テ−ブルの構成例を示す図である。
【図１２】第３の実施の形態によるシンクライアントシステムの動作を示すフローチャートである。
【図１３】本発明の第２の実施例によるシンクライアントシステムの動作を示すフロ−チャ−トである。
【図１４】第２の実施例による接続先設定テーブルの構成例を示す図である。
【図１５】本発明の管理サーバのハ−ドウェア構成例を示すブロック図である。
【発明を実施するための形態】
【００１７】
（第１の実施の形態）
本発明の第１の実施の形態について、図面を参照して詳細に説明する。以下の図において、本発明の本質に関わらない部分の構成については省略してあり、図示されていない。
【００１８】
図１は、本実施の形態によるシンクライアントシステム１００の構成を示すブロック図である。
【００１９】
図１を参照すると、本実施の形態によるシンクライアントシステム１００は、１つ以上の端末１０−ｍと、ユ−ザへのクライアント環境の配分やクライアント環境の生成、端末管理を行う管理サ−バ２０と、管理サ−バ２０が利用する情報を保持している記憶装置３０と、１つ以上のクライアント環境４１−ｎが動作するクライアント環境サ−バ４０と、を備える。
【００２０】
ここで、ｎ（１以上の任意の自然数）はクライアント環境の数、ｍ（１以上の任意の自然数）は端末の数を示している。
【００２１】
端末１０−ｍは、１つ以上の端末部品１１−ｍ−ｋを備えている。端末部品１０１は、物理的な複数の端末部品で構成されていても良いし、論理的なデ−タの集合であっても構わない。
【００２２】
ここで、ｋ（１以上の任意の自然数）は端末部品の数を示している。ただし、各端末が備える端末部品の数は同一である必要はない。
【００２３】
また、端末１０−ｍは、管理サ−バ２０及びクライアント環境４１−ｎへの接続を行う接続手段１２−ｍを含む。
【００２４】
接続手段１２−ｍは、管理サ−バ２０へ接続する際、自端末の端末識別情報及び端末部品情報を管理サ−バへ送信する。
【００２５】
端末識別情報とは、端末１０−ｍを識別するための情報である。端末識別情報は、端末１０−ｍに付随する情報であればどのような情報であっても良い。本実施の形態では、端末識別情報はＩＰアドレス、ＭＡＣアドレス、端末名、端末ＩＤを含む。ただし、これに限定はされない。
【００２６】
端末部品情報とは、端末１０−ｍが備える端末部品１１−ｍ−ｋについての情報である。本実施の形態では、端末部品１１−ｍ−ｋの部品名を端末部品情報としているが、これに限定はされない。
【００２７】
端末部品情報は予め各端末部品１１−ｍ−ｋに組み込まれている。ただしこれに限定されない。
【００２８】
管理サ−バ２０は、セッション管理手段２１と、クライアント環境管理手段２２と、端末管理手段２３とを含む。
【００２９】
セッション管理手段２１は、端末１０−ｍからクライアント環境４１−ｎへの接続要求を受けると、該接続要求に従って、接続先設定テ−ブル３１を参照し、端末１０−ｍに適切なクライアント環境４１−ｎを配分する。
【００３０】
また、セッション管理手段２１は、所定の場合に接続先設定テ−ブルに端末１０−ｍとクライアント環境４１−ｎとの関連付けを格納する。
【００３１】
クライアント環境管理手段２２は、端末部品テ−ブル３２や端末管理テ−ブル３３を参照し、必要に応じてクライアント環境４１−ｎとその付随情報の生成や削除を行う。
【００３２】
クライアント環境管理手段２２は、端末１０−ｍの端末部品情報を用いて端末部品テ−ブル３２を参照し、端末１０−ｍの端末部品情報に対応するクライアント環境構成要素を取得する。
【００３３】
また、クライアント環境管理手段２２は、取得したクライアント環境構成要素に応じたクライアント環境４１−ｎをクライアント環境サ−バ４０に生成する。
【００３４】
また、クライアント環境管理手段２２は、管理者により端末管理テ−ブル３３から端末１０−ｍの情報が削除されると、該端末１０−ｍに紐付いているクライアント環境４１−ｎをクライアント環境サ−バ４０から削除すると共に、端末１０−ｍとクライアント環境４１−ｎの関連付けを接続先設定テ−ブル３１から削除する。
【００３５】
なお、クライアント環境管理手段２２によるクライアント環境４１−ｎの削除は強制である必要はない。例えば、端末１０−１を廃棄したあとも、別の端末１０−２から端末１０−１が利用していたクライアント環境４１−１を利用したいケ−スでは、クライアント環境４１−１の削除を行わなくても良い。
【００３６】
端末管理手段２３は、所定の場合に端末１０−ｍの端末識別情報を端末管理テ−ブル３３に格納する。
【００３７】
記憶装置３０は、接続先設定テ−ブル３１と、端末部品テ−ブル３２と、端末管理テ−ブル３３と、を備える。
【００３８】
接続先設定テ−ブル３１は、端末１０−ｍとクライアント環境４１−ｎとの関連付けを格納する。接続先設定テ−ブル３１の構成例を図２に示す。接続先設定テ−ブル３１に格納されている情報は、セッション管理手段２１が端末１０−ｍにクライアント環境４１−ｎを配分する際に利用される。
【００３９】
端末部品テ−ブル３２は、端末部品１１−ｍ−ｋとクライアント環境構成要素の関連付けを格納する。端末部品テ−ブル３２の構成例を図３に示す。
【００４０】
なお、接続先設定テ−ブル３１、端末部品テ−ブル３２、端末管理テ−ブル３３は、管理サーバ２０の内部に備える構成としても良い。
【００４１】
クライアント環境構成要素とは、生成するクライアント環境４１−ｎの構成要素（図３のように、ＣＰＵ、メモリ、ＨＤＤなどのハ−ドウェア要素だけでなく、Ｏｐｅｒａｔｉｎｇ  Ｓｙｓｔｅｍやアプリケ−ションのようなソフトウェア要素が含まれていても良い）を表す情報を示す。
【００４２】
これらの情報は、クライアント環境管理手段２２がクライアント環境４１−ｎを生成する際に利用される。
【００４３】
端末管理テ−ブル３３は、端末１０−ｍの端末識別情報を格納している。端末管理テ−ブル３３の構成例を図４に示す。図４に示しているのは一例であり、端末１０−ｍに付随している情報であれば何を格納していても構わない。
【００４４】
クライアント環境サ−バ４０は、１つ以上のクライアント環境４１−ｎを動作させる。クライアント環境４１−ｎは、ＯＳ（Ｏｐｅｒａｔｉｎｇ  Ｓｙｓｔｅｍ）やアプリケ−ション等を含む。
【００４５】
（第１の実施の形態の動作の説明）
次に、本実施の形態によるシンクライアントシステム１００の動作について、図５のフロ−チャ−トを参照して説明する。
【００４６】
図５を参照すると、ユ−ザの操作により、まず端末１０−ｍの接続手段１２−ｍが、管理サ−バ２０へ接続する（ステップＳ５０１）。この時、接続手段１２−ｍは、端末１０−ｍの端末識別情報及び端末部品情報を管理サ−バ２０へ送信する（ステップＳ５０２）。
【００４７】
次いで、管理サ−バ２０のセッション管理手段２１が、端末１０−ｍの端末識別情報を用いて端末管理テ−ブル３３を参照し、端末１０−ｍの情報が端末管理テ−ブル３３に存在するか否かを確認する（ステップＳ５０３）。
【００４８】
端末１０−ｍの情報が端末管理テ−ブル３３に存在しない場合（ステップＳ５０４”ＮＯ”）、次いで、クライアント環境管理手段２２が、端末１０−ｍの端末部品情報を用いて端末部品テ−ブル３２を参照し、端末１０−ｍの端末部品情報に対応するクライアント環境構成要素を取得する（ステップＳ５０５）。
【００４９】
次いで、クライアント環境管理手段２２は、取得したクライアント構成要素に応じたクライアント環境４１−ｎをクライアント環境サ−バ４０に生成する（ステップＳ５０６）。
【００５０】
クライアント環境４１−ｎの生成後、端末管理手段２３が、端末１０−ｍの端末識別情報を端末管理テ−ブル３３に格納する（ステップＳ５０７）。
【００５１】
また、セッション管理手段２１が、端末１０−ｍと生成したクライアント環境４１−ｎの関連付けを接続先設定テ−ブル３１に格納する（ステップＳ５０８）。
【００５２】
次いで、セッション管理手段２１が、生成したクライアント環境４１−ｎの情報を端末１０−ｍに送信する（ステップＳ５０９）。
【００５３】
端末１０−ｍの情報が端末管理テ−ブル３３に存在する場合（ステップＳ５０４”ＹＥＳ”）、セッション管理手段２１は、端末１０−ｍの端末識別情報を用いて接続先設定テ−ブル３１を参照し、端末１０−ｍに紐付いているクライアント環境４１−ｎの情報を取得する（ステップＳ５１０）。
【００５４】
次いで、セッション管理手段２１は、取得したクライアント環境４１−ｎの情報を端末１０−ｍに送信する（ステップＳ５１１）。
【００５５】
端末１０−ｍは、管理サ−バ２０から接続先のクライアント環境４１−ｎの情報を受け取とると、接続手段１２が、該情報に基づきクライアント環境４１−ｎに接続する（ステップＳ５１２）。
【実施例１】
【００５６】
次に、具体的な実施例を用いて、本実施の形態によるシンクライアントシステム１００の動作を説明する。
【００５７】
（構成の説明）
本実施例では、シンクライアントシステム１００の構成は図１に示す構成と同様である。
【００５８】
端末部品テ−ブル３２は予め図３に記載されている設定が管理者によりされている。接続先設定テ−ブル３１と端末管理テ−ブル３３は、テ−ブル構成は図２、図４に示す構成と同様であるが、初期状態では何もデ−タが格納されておらず空の状態である。
【００５９】
また、クライアント環境サ−バ４０には、初期状態でクライアント環境４１−ｎは１つも存在していない。
【００６０】
（動作の説明）
本実施例の動作の説明について、図６のフロ−チャ−トを参照して詳細に説明する。本実施例では、ユ−ザＡが端末端末１（端末１０−１）を利用する場合を例として説明する。
【００６１】
ユ−ザＡの操作により、まず端末１の接続手段１２−１が管理サ−バ２０へ接続する（ステップＳ６０１）。この時、接続手段１２−１は、端末１の端末識別情報及び端末部品情報を管理サ−バ２０へ送信する（ステップＳ６０２）。
【００６２】
ここで、本実施例では、端末１は端末部品１〜５（端末部品１０１−１−１〜１０１−１−５）を備えているものとする。
【００６３】
次いで、管理サ−バ２０のセッション管理手段２１が、端末１の端末識別情報を用いて端末管理テ−ブル３３を参照し、端末１の情報が端末管理テ−ブル３３に存在するか否かを確認する（ステップＳ６０３）。
【００６４】
端末管理テ−ブル３３はこの段階では空であるため、次いで、クライアント環境管理手段２２が、端末１の端末部品情報を用いて端末部品テ−ブル３２を参照し、端末１の端末部品情報に対応するクライアント環境構成要素を取得する（ステップＳ６０４）。
【００６５】
端末１は端末部品１〜５を備えていることから、クライアント環境管理手段２２は、クライアント環境構成要素として、「ＣＰＵ  ２ＧＨｚ」、「メモリ２．０ＧＢ」、「ＨＤＤ４０ＧＢ」のハ−ドウェア情報、「Ｏｐｅｒａｔｉｎｇ  Ｓｙｓｔｅｍ  Ａ」、「Ｖｉｒｕｓ  Ｓｃａｎ  Ｓｏｆｔｗａｒｅ  Ａ」のソフトウェア情報を取得する。
【００６６】
次いで、クライアント環境管理手段２２は、取得したクライアント構成要素に応じたクライアント環境１（クライアント環境４１−１）をクライアント環境サ−バ４０に生成する（ステップＳ６０５）。
【００６７】
この結果、クライアント環境サ−バ４０には、「ＣＰＵ  ２ＧＨｚ」、「メモリ２．０ＧＢ、ＨＤＤ４０ＧＢ」のハ−ドウェア情報を持ち、ソフトウェアとして「Ｏｐｅｒａｔｉｎｇ  Ｓｙｓｔｅｍ  Ａ」と「Ｖｉｒｕｓ  Ｓｃａｎ  Ｓｏｆｔｗａｒｅ  Ａ」がインスト−ルされた状態のクライアント環境１が生成される。
【００６８】
クライアント環境１の生成後、端末管理手段２３が、端末１の端末識別情報を端末管理テ−ブル３３に格納する（ステップＳ６０６）。
【００６９】
また、セッション管理手段２１が、端末１とクライアント環境１の関連付けを接続先設定テ−ブル３１に格納する（ステップＳ６０７）。
【００７０】
次いで、セッション管理手段２１が、生成したクライアント環境１の情報を端末１に送信する（ステップＳ６０８）。
【００７１】
端末１は、管理サ−バ２０からクライアント環境１の情報を受け取ると、接続手段１２が、該情報に基づきクライアント環境１に接続する（ステップＳ６０９）。
【００７２】
次いで、端末１とクライアント環境１の接続が終了したあと（ステップＳ６１０）、再度ユ−ザＡの操作により端末１の接続手段１２−１が管理サ−バ２０へ接続すると（ステップＳ６１１）、管理サ−バ２０のセッション管理手段２１が、再度送られてきた該端末識別情報を用いて端末管理テ−ブル３３を参照し、端末１の情報が端末管理テ−ブル３３に存在するか否かを確認する（ステップＳ６１２）。
【００７３】
この時、端末管理テ−ブル３３には端末１の端末識別情報が格納されているため、次いで、セッション管理手段２１が、端末１の端末識別情報を用いて接続先設定テ−ブル３１を参照し、端末１に紐付いているクライアント環境１の情報を取得する（ステップＳ６１３）。
【００７４】
次いで、セッション管理手段２１は、取得したクライアント環境１の情報を端末１に送信する（ステップＳ６１４）。
【００７５】
端末１は、管理サ−バ２０からクライアント環境１の情報を受け取とると、接続手段１２が、該情報に基づきクライアント環境１に接続する（ステップＳ６１５）。
【００７６】
（第１の実施の形態による効果）
本実施の形態よれば、管理工数を削減することが可能である。
【００７７】
その理由は、管理者が、事前にクライアント環境４１−ｎの生成をおこなう必要がなく、また、端末管理テ−ブル３３及び接続先設定テ−ブル３１への情報登録を行う必要もないからである。
【００７８】
（第２の実施の形態）
次に、本発明の第２の実施の形態について、図面を参照して詳細に説明する。以下の図において、本発明の本質に関わらない部分の構成については省略してあり、図示されていない。
【００７９】
第１の実施の形態では、上述したように、端末１０−ｍを利用すれば毎回同じクライアント環境４１−ｎを利用できる。例えば、前述の実施例１によれば、端末１は、初回にクライアント環境１を作成した後は、毎回クライアント環境１を利用出来る。
【００８０】
しかしこの場合、端末１０−ｍが紛失もしくは第三者に盗まれてしまった場合、不正アクセスによって被害を受ける可能性があるという課題がある。
【００８１】
本実施の形態では、上述の課題を解決するため、端末管理テ−ブル３３が端末１０−ｍの利用可否情報をさらに格納する。本実施の形態による端末管理テ−ブル３３の構成例を図７に示す。
【００８２】
利用可否情報とは、端末１０−ｍが本システムを利用することができるか否かを示す情報である。該利用可否情報の設定を変更することにより、端末１０−ｍからの利用を一時的に無効にしすることが可能となる。
【００８３】
なお、その他の構成は第１の実施の形態と同様であるため、詳細は省略する。
【００８４】
（第２の実施の形態の動作の説明）
次に、本実施の形態によるシンクライアントシステム１００の動作について、図８のフロ−チャ−トを参照して説明する。
【００８５】
図８は、図５に示す第１の実施の形態に本実施の形態の動作を加えたフロ−チャ−トである。従って、第１の実施の形態と同様の部分については説明を省略する。
【００８６】
本実施の形態では、端末１０−ｍの情報が端末管理テ−ブル３３に存在する場合（ステップＳ５０４”ＹＥＳ”）、セッション管理手段２１が、端末１０−ｍに紐付く利用可否情報を参照し、端末１０−ｍが利用可能であるか判定する（ステップＳ８０１）。セッション管理手段２１は、利用可否情報が「可能」であれば利用可能、「不可」であれば利用不可と判定する。
【００８７】
端末１０−ｍが利用不可である場合、セッション管理手段２１は、処理を終了する（ステップＳ８０１”ＮＯ”）。
【００８８】
（第２の実施の形態による効果）
本実施の形態によれば、端末１０−ｍを盗難されたり紛失したりした場合のセキュリティリスクを低減することができる。
【００８９】
その理由は、端末１０−ｍからの不正アクセスが予想される場合に、管理者が端末管理テ−ブル３３において該端末１０−ｍの利用可否情報を「不可」に設定することで、以後、該端末１０−ｍはクライアント環境４１−ｎを利用できなくなるからである。
【００９０】
（第３の実施の形態）
次に、本発明の第３の実施の形態について、図面を参照して詳細に説明する。以下の図において、本発明の本質に関わらない部分の構成については省略してあり、図示されていない。
【００９１】
企業等においては、端末などの物理的資産を管理する資産管理システムがほぼ存在している。本実施の形態では、該資産管理システムの端末情報を利用してクライアント環境を生成する。
【００９２】
図９は、本実施の形態によるシンクライアントシステム１００の構成を示すブロック図である。
【００９３】
第１の実施の形態では端末部品情報が端末部品１１−ｍ−ｋに組み込まれていたが、本実施の形態では、端末１０−ｍ側に端末分情報を組み込んでおくのではなく、管理サ−バ２０側に予め端末部品情報を端末情報として登録しておく。
【００９４】
本実施の形態による端末部品テ−ブル３２の構成例を図１０に示す。端末部品テ−ブル３２のデ−タは予め管理者により設定登録されている。
【００９５】
また、本実施の形態による端末管理テ−ブル３３の構成例を図１１に示す。図１１を参照すると、端末管理テ−ブル３３は、第１の実施の形態に比べ、端末部品情報（端末部品名）をさらに含んだ構成となっている。
【００９６】
端末管理テ−ブル３３のデ−タは、前述した資産管理システムのデータを利用する。該データは任意のタイミングで入力される。管理者による手動入力でもよいし、該資産管理システムから情報を取得して自動入力する仕組みを用いても良い。
【００９７】
その他の構成については、第１の実施の形態と同様であるため、詳細な説明は省略する。
【００９８】
（第３の実施の形態の動作の説明）
次に、本実施の形態によるシンクライアントシステム１００の動作について、図１２のフロ−チャ−トを参照して詳細に説明する。
【００９９】
なお、端末１０−ｍが管理サ−バ２０へ接続した後の処理については図５のステップＳ５１０以降の動作と同様のため省略する。
【０１００】
図１２を参照すると、まず、クライアント環境管理手段２２が、定期的に端末管理テ−ブル３３を参照し、端末管理テ−ブル３３の情報に更新（新規入力を含む）があるかどうかを確認する（ステップＳ１２０１）。
【０１０１】
管理者の情報入力により端末管理テ−ブル３３の情報が更新されると（ステップＳ１２０１”ＹＥＳ”）、クライアント環境管理手段２２は、情報が更新された端末１０−ｍの端末部品情報を用いて端末部品テ−ブル３２を参照し、端末１０−ｍの端末部品情報に対応するクライアント環境構成要素を取得する（ステップＳ１２０２）。
【０１０２】
次いで、クライアント環境管理手段２２は、取得したクライアント構成要素に応じたクライアント環境４１−ｎをクライアント環境サ−バ４０に生成する（ステップＳ１２０３）。
【０１０３】
クライアント環境４１−ｎの生成後、セッション管理手段２１が、端末１０−ｍと生成したクライアント環境４１−ｎの関連付けを接続先設定テ−ブル３１に格納する（ステップＳ１２０４）。
【実施例２】
【０１０４】
次に、具体的な実施例を用いて、本実施の形態によるシンクライアントシステム１００の動作を説明する。
【０１０５】
（構成の説明）
本実施例では、シンクライアントシステム１００の構成は図９に示す構成と同様である。
【０１０６】
端末部品テ−ブル３２は予め図１０に記載されている設定がされている。接続先設定テ−ブル３１と端末管理テ−ブル３３は、テ−ブル構成は図１２、図１１に示す構成と同様であるが、初期状態では何もデ−タが格納されておらず空の状態である。
【０１０７】
また、クライアント環境サ−バ４０には、初期状態でクライアント環境４１−ｎは１つも存在していない。
【０１０８】
（動作の説明）
本実施例の動作の説明について、図１３のフロ−チャ−トを参照して詳細に説明する。
【０１０９】
図１３を参照すると、まず、クライアント環境管理手段２２が、定期的に端末管理テ−ブル３３を参照し、端末管理テ−ブル３３の情報に更新（新規入力を含む）があるかどうかを確認する（ステップＳ１３０１）。
【０１１０】
ここで、管理者により図１１に示す端末１、端末２の情報が入力されたとする。すると、クライアント環境管理手段２２は更新を確認する（ステップＳ１３０１”ＹＥＳ”）。
【０１１１】
次いでクライアント環境管理手段２２は、端末１の端末部品情報（部品１、部品３）に対応するクライアント環境構成要素を端末部品テ−ブル３２から取得する（ステップＳ１３０２）。
【０１１２】
次いで、クライアント環境管理手段２２は、取得したクライアント構成要素に応じたクライアント環境４１−１をクライアント環境サ−バ４０に生成する（ステップＳ１２０３）。
【０１１３】
ここで、部品１、部品３はそれぞれ「ＣＰＵ  ２．０ＧＨｚ、メモリ  ２．０ＧＢ、ＨＤＤ  ４０ＧＢ、Ｏｐｅｒａｔｉｎｇ  Ｓｙｓｔｅｍ  Ａ」、「Ｖｉｒｕｓ  Ｓｃａｎ  Ｓｏｆｔｗａｒｅ  Ａ、Ｗｅｂ  ｂｒｏｗｓｅｒ  Ａ」である。従って、生成されたクライアント環境４１−１は、「ＣＰＵ  ２．０ＧＨｚ」、「メモリ  ２．０ＧＢ」、「ＨＤＤ４０ＧＢ」、「Ｏｐｅｒａｔｉｎｇ  Ｓｙｓｔｅｍ  Ａ」、「Ｖｉｒｕｓ  Ｓｃａｎ  Ｓｏｆｔｗａｒｅ  Ａ」、「Ｗｅｂ  ｂｒｏｗｓｅｒ  Ａ」という特徴を備えている。
【０１１４】
クライアント環境４１−１の生成後、セッション管理手段２１が、端末１０−１と生成したクライアント環境４１−１の関連付けを接続先設定テ−ブル３１に格納する（ステップＳ１２０４）。
【０１１５】
次いでクライアント環境管理手段２２は、端末２の端末部品情報（部品２、部品３）に対応するクライアント環境構成要素を端末部品テ−ブル３２から取得する（ステップＳ１３０５）。
【０１１６】
次いで、クライアント環境管理手段２２は、取得したクライアント構成要素に応じたクライアント環境４１−２をクライアント環境サ−バ４０に生成する（ステップＳ１２０６）。
【０１１７】
ここで、部品２、部品３はそれぞれ「ＣＰＵ  ３．０ＧＨｚ、メモリ  ４．０ＧＢ、ＨＤＤ  ８０ＧＢ、Ｏｐｅｒａｔｉｎｇ  Ｓｙｓｔｅｍ  Ｂ」、「Ｖｉｒｕｓ  Ｓｃａｎ  Ｓｏｆｔｗａｒｅ  Ａ、Ｗｅｂ  ｂｒｏｗｓｅｒ  Ａ」である。従って、生成されたクライアント環境４１−２は、「ＣＰＵ  ３．０ＧＨｚ」、「メモリ  ４．０ＧＢ」、「ＨＤＤ８０ＧＢ」、「Ｏｐｅｒａｔｉｎｇ  Ｓｙｓｔｅｍ  Ｂ」、「Ｖｉｒｕｓ  Ｓｃａｎ  Ｓｏｆｔｗａｒｅ  Ａ」、「Ｗｅｂ  ｂｒｏｗｓｅｒ  Ａ」という特徴を備えている。
【０１１８】
クライアント環境４１−２の生成後、セッション管理手段２１が、端末１０−２と生成したクライアント環境４１−２の関連付けを接続先設定テ−ブル３１に格納する（ステップＳ１３０７）。
【０１１９】
ここで、ステップＳ１３０７後の接続先設定テーブル３１の例を、図１４に示す。なお、上記端末１及び端末２についての処理は平行して行っても良い。
【０１２０】
（第３の実施の形態による効果）
次に本実施の形態の効果について説明する。
【０１２１】
本実施の形態によれば、企業等ではほぼ必ず存在している端末などの物理的資産を管理するシステムと本システムとを組み合わせることが可能となり、より効果的に本システムを運用することができる。
【０１２２】
次に、本発明の管理サ−バ２０のハ−ドウェア構成例について、図１５を参照して説明する。図１５は管理サ−バ２０のハ−ドウェア構成例を示すブロック図である。
【０１２３】
図１５を参照すると、管理サ−バ２０は、一般的なコンピュ−タ装置と同様のハ−ドウェア構成であり、ＣＰＵ（Ｃｅｎｔｒａｌ  Ｐｒｏｃｅｓｓｉｎｇ  Ｕｎｉｔ）８０１、ＲＡＭ（Ｒａｎｄｏｍ  Ａｃｃｅｓｓ  Ｍｅｍｏｒｙ）等のメモリからなる、デ−タの作業領域やデ−タの一時退避領域に用いられる主記憶部８０２、ネットワ−クを介してデ−タの送受信を行う通信部８０３、入力装置８０５や出力装置８０６及び記憶装置８０７と接続してデ−タの送受信を行う入出力インタフェ−ス部８０４、上記各構成要素を相互に接続するシステムバス８０８を備えている。記憶装置８０７は、例えば、ＲＯＭ（Ｒｅａｄ  Ｏｎｌｙ  Ｍｅｍｏｒｙ）、磁気ディスク、半導体メモリ等の不揮発性メモリから構成されるハ−ドディスク装置等で実現される。
【０１２４】
本発明の管理サ−バ２０のセッション管理手段２１、クライアント環境管理手段２２、端末管理手段２３は、プログラムを組み込んだ、ＬＳＩ（Ｌａｒｇｅ  Ｓｃａｌｅ  Ｉｎｔｅｇｒａｔｉｏｎ）等のハ−ドウェア端末部品である回路端末部品を実装することにより、その動作をハ−ドウェア的に実現することは勿論として、その機能を提供するプログラムを、記憶装置８０７に格納し、そのプログラムを主記憶部８０２にロ−ドしてＣＰＵ８０１で実行することにより、ソフトウェア的に実現することも可能である。
【０１２５】
なお、前述した端末１０−ｍ、クライアント環境サ−バ４０も、上記のようなハ−ドウェア構成を有し、それぞれが有する各機能をハ−ドウェア的又はソフトウェア的に実現する。
【０１２６】
以上好ましい実施の形態をあげて本発明を説明したが、本発明は必ずしも、上記実施の形態に限定されるものでなく、その技術的思想の範囲内において様々に変形して実施することができる。
【０１２７】
なお、以上の構成要素の任意の組合せ、本発明の表現を方法、装置、システム、記録媒体、コンピュ−タプログラムなどの間で変換したものもまた、本発明の態様として有効である。
【０１２８】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【０１２９】
また、本発明の方法およびコンピュ−タプログラムには複数の手順を順番に記載してあるが、その記載の順番は複数の手順を実行する順番を限定するものではない。このため、本発明の方法およびコンピュ−タプログラムを実施する時には、その複数の手順の順番は内容的に支障しない範囲で変更することができる。
【０１３０】
また、本発明の方法およびコンピュ−タプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【０１３１】
さらに、上記実施形態の一部又は全部は、以下の付記のようにも記載されうるが、これに限定されない。
【０１３２】
（付記１）
１つ以上の端末と、
前記端末が利用するクライアント環境が動作するクライアント環境サーバと、
前記端末からのクライアント環境の利用要求に基づき所定の前記クライアント環境を配分する管理サーバとを備え、
前記管理サーバは、
前記端末から、端末を識別する端末識別情報と、端末の構成要素である端末部品を識別する端末部品情報とを受信し、前記端末部品情報に対応して予め設定したクライアント環境の構成要素を用いて、前記クライアント環境サーバに前記クライアント環境を生成するクライアント環境管理手段を備えることを特徴とするシンクライアントシステム。
【０１３３】
（付記２）
前記端末部品が、ハードウェア要素であることを特徴とする付記１に記載のシンクライアントシステム。
【０１３４】
（付記３）
前記端末部品が、ソフトウェア要素であることを特徴とする付記１に記載のシンクライアントシステム。
【０１３５】
（付記４）
前記端末識別情報を格納する端末管理テーブルと、
前記端末部品情報と前記クライアント環境構成要素との関連付けを格納する端末部品テーブルと、
前記端末と当該端末が利用する前記クライアント環境との関連付けを格納する接続先設定テーブルと
を含む記憶装置を備えることを特徴とする付記１から付記３に記載のシンクライアントシステム。
【０１３６】
（付記５）
前記接続先設定テーブルに基づき、前記端末へ所定の前記クライアント環境を配分するセッション管理手段と、
所定の場合に、前記端末から受信した前記端末識別情報を前記端末管理テーブルに格納する端末管理手段を含み、
前記セッション管理手段は、
前記端末から受信した前記端末識別情報が、前記端末管理テーブルに存在するか否かを確認し、
前記セッション管理手段が、前記端末識別情報が前記端末管理テーブルに存在しないと判断した場合、
前記クライアント環境管理手段は、
前記端末部品情報に対応する前記クライアント環境構成要素を前記端末部品テーブルから取得し、当該クライアント環境構成要素を構成要件として前記クライアント環境サーバに前記クライアント環境を生成し、
前記セッション管理手段は、
前記端末と、生成された前記クライアント環境との関連付けを前記接続先設定テーブルに格納し、
前記端末管理手段は、
前記端末識別情報を前記端末管理テーブルに格納することを特徴とする付記４に記載のシンクライアントシステム。
【０１３７】
（付記６）
前記端末管理テーブルが、
前記端末の利用可否情報を示す利用可否情報をさらに格納し、
前記セッション管理手段は、
接続してきた前記端末の利用可否情報が利用不可である場合は、当該端末に対して前記クライアント環境の配分を行わないことを特徴とする付記５に記載のシンクライアントシステム。
【０１３８】
（付記７）
前記端末管理テーブルから所定の前記端末の端末識別情報が削除された場合に、
前記クライアント環境管理手段が、
当該端末が利用する前記クライアント環境を前記クライアント環境サーバから削除すると共に、当該端末及びクライアント環境の関連付けを前記接続先設定テーブルから削除することを特徴とする付記４から付記６の何れか１項に記載のシンクライアントシステム。
【０１３９】
（付記８）
１つ以上の端末と、前記端末が利用するクライアント環境が動作するクライアント環境サーバと、前記端末からのクライアント環境の利用要求に基づき所定の前記クライアント環境を配分する管理サーバとを備えるシンクライアントシステムの管理サーバであって、
前記端末から、端末を識別する端末識別情報と、端末の構成要素である端末部品を識別する端末部品情報とを受信し、前記端末部品情報に対応して予め設定したクライアント環境の構成要素を用いて、前記クライアント環境サーバに前記クライアント環境を生成するクライアント環境管理手段を備えることを特徴とする管理サーバ。
【０１４０】
（付記９）
前記端末と当該端末が利用する前記クライアント環境との関連付けを格納する前記接続先設定テーブルに基づき、前記端末へ所定の前記クライアント環境を配分するセッション管理手段と、
所定の場合に、前記端末から受信した前記端末識別情報を、前記端末識別情報を格納する前記端末管理テーブルに格納する端末管理手段を含み、
前記セッション管理手段は、
前記端末から受信した前記端末識別情報が、前記端末管理テーブルに存在するか否かを確認し、
前記セッション管理手段が、前記端末識別情報が前記端末管理テーブルに存在しないと判断した場合、
前記クライアント環境管理手段は、
前記端末部品情報に対応する前記クライアント環境構成要素を、前記端末部品情報と前記クライアント環境構成要素との関連付けを格納する前記端末部品テーブルから取得し、当該クライアント環境構成要素を構成要件として前記クライアント環境サーバに前記クライアント環境を生成し、
前記セッション管理手段は、
前記端末と、生成された前記クライアント環境との関連付けを前記接続先設定テーブルに格納し、
前記端末管理手段は、
前記端末識別情報を前記端末管理テーブルに格納することを特徴とする付記８に記載の管理サーバ。
【０１４１】
（付記１０）
前記セッション管理手段は、
接続してきた前記端末の利用可否情報を示す利用可否情報が、利用不可である場合は、当該端末に対して前記クライアント環境の配分を行わないことを特徴とする付記９に記載の管理サーバ。
【０１４２】
（付記１１）
前記端末管理テーブルから所定の前記端末の端末識別情報が削除された場合に、
前記クライアント環境管理手段が、
当該端末が利用する前記クライアント環境を前記クライアント環境サーバから削除すると共に、当該端末及びクライアント環境の関連付けを前記接続先設定テーブルから削除することを特徴とする付記９又は付記１０に記載の管理サーバ。
【０１４３】
（付記１２）
１つ以上の端末と、前記端末が利用するクライアント環境が動作するクライアント環境サーバと、前記端末からのクライアント環境の利用要求に基づき所定の前記クライアント環境を配分する管理サーバとを備えるシンクライアントシステムのクライアント環境管理方法であって、
前記管理サーバが、
前記端末から、端末を識別する端末識別情報と、端末の構成要素である端末部品を識別する端末部品情報とを受信し、
前記端末部品情報に対応して予め設定したクライアント環境の構成要素を用いて、前記クライアント環境サーバに前記クライアント環境を生成することを特徴とするクライアント環境管理方法。
【０１４４】
（付記１３）
前記端末と当該端末が利用する前記クライアント環境との関連付けを格納する前記接続先設定テーブルに基づき、前記端末へ所定の前記クライアント環境を配分し、
所定の場合に、前記端末から受信した前記端末識別情報を、前記端末識別情報を格納する前記端末管理テーブルに格納し、
前記端末から受信した前記端末識別情報が、前記端末管理テーブルに存在するか否かを確認し、
前記端末識別情報が前記端末管理テーブルに存在しないと判断した場合、
前記端末部品情報に対応する前記クライアント環境構成要素を、前記端末部品情報と前記クライアント環境構成要素との関連付けを格納する前記端末部品テーブルから取得し、
当該クライアント環境構成要素を構成要件として前記クライアント環境サーバに前記クライアント環境を生成し、
前記端末と、生成された前記クライアント環境との関連付けを前記接続先設定テーブルに格納し、
前記端末識別情報を前記端末管理テーブルに格納することを特徴とする付記１２に記載のクライアント環境管理方法。
【０１４５】
（付記１４）
接続してきた前記端末の利用可否情報を示す利用可否情報が、利用不可である場合は、当該端末に対して前記クライアント環境の配分を行わないことを特徴とする付記１３に記載のクライアント環境管理方法。
【０１４６】
（付記１５）
前記端末管理テーブルから所定の前記端末の端末識別情報が削除された場合に、
当該端末が利用する前記クライアント環境を前記クライアント環境サーバから削除すると共に、当該端末及びクライアント環境の関連付けを前記接続先設定テーブルから削除することを特徴とする付記１３又は付記１４に記載のクライアント環境管理方法。
【０１４７】
（付記１６）
１つ以上の端末と、前記端末が利用するクライアント環境が動作するクライアント環境サーバと、前記端末からのクライアント環境の利用要求に基づき所定の前記クライアント環境を配分する管理サーバとを備えるシンクライアントシステムの前記管理サーバに、
前記端末から、端末を識別する端末識別情報と、端末の構成要素である端末部品を識別する端末部品情報とを受信し、前記端末部品情報に対応して予め設定したクライアント環境の構成要素を用いて、前記クライアント環境サーバに前記クライアント環境を生成する処理を、実行させることを特徴とするプログラム。
【０１４８】
（付記１７）
前記管理サーバに、
前記端末と当該端末が利用する前記クライアント環境との関連付けを格納する前記接続先設定テーブルに基づき、前記端末へ所定の前記クライアント環境を配分する処理と、
所定の場合に、前記端末から受信した前記端末識別情報を、前記端末識別情報を格納する前記端末管理テーブルに格納する処理と、
前記端末から受信した前記端末識別情報が、前記端末管理テーブルに存在するか否かを確認する処理と、
前記端末識別情報が前記端末管理テーブルに存在しないと判断した場合、
前記端末部品情報に対応する前記クライアント環境構成要素を、前記端末部品情報と前記クライアント環境構成要素との関連付けを格納する前記端末部品テーブルから取得する処理と、
当該クライアント環境構成要素を構成要件として前記クライアント環境サーバに前記クライアント環境を生成する処理と、
前記端末と、生成された前記クライアント環境との関連付けを前記接続先設定テーブルに格納する処理と、
前記端末識別情報を前記端末管理テーブルに格納するする処理を、実行させることを特徴とする付記１６に記載のプログラム。
【０１４９】
（付記１８）
前記管理サーバに、
接続してきた前記端末の利用可否情報を示す利用可否情報が、利用不可である場合は、当該端末に対して前記クライアント環境の配分を中止する処理を実行させることを特徴とする付記１７に記載のプログラム。
【０１５０】
（付記１９）
前記管理サーバに、
前記端末管理テーブルから所定の前記端末の端末識別情報が削除された場合に、
当該端末が利用する前記クライアント環境を前記クライアント環境サーバから削除すると共に、当該端末及びクライアント環境の関連付けを前記接続先設定テーブルから削除する処理を実行させることを特徴とする付記１７又は付記１８に記載のプログラム。
【符号の説明】
【０１５１】
１００：シンクライアントシステム
１０（１０−１〜１０−ｍ）：端末
２０：管理サーバ
２１：セッション管理手段
２２：クライアント環境管理手段
２３：端末管理手段
３０：記憶装置
３１：接続先設定テーブル
３２：端末部品テーブル
３３：端末管理テーブル
４０：クライアントサーバ
４１（４１−１〜４１−ｎ）：クライアント環境
８０１：ＣＰＵ
８０２：主記憶部
８０３：通信部
８０４：入出力インタフェ−ス部
８０５：入力装置
８０６：出力装置
８０７：記憶装置
８０８：システムバス
【図１】
0005672893.tif 000002
【図２】
0005672893.tif 000003
【図３】
0005672893.tif 000004
【図４】
0005672893.tif 000005
【図５】
0005672893.tif 000006
【図６】
0005672893.tif 000007
【図７】
0005672893.tif 000008
【図８】
0005672893.tif 000009
【図９】
0005672893.tif 000010
【図１０】
0005672893.tif 000011
【図１１】
0005672893.tif 000012
【図１２】
0005672893.tif 000013
【図１３】
0005672893.tif 000014
【図１４】
0005672893.tif 000015
【図１５】
0005672893.tif 000016